(57)【特許請求の範囲】
【請求項１】
アースドリル用拡底バケットのバケット本体に周方向に並べて複数本の縦向きの回転軸を配設し、各回転軸を中心にそれぞれ拡底翼を開閉装置により回動して開閉されるように、かつバケット本体の胴部内から突没自在に取付け、
前記拡底翼の開き方向に見て後部側に土砂導入用のガイドプレートを固定し、
該ガイドプレートと前記胴部の内面との間に、土砂導入用の別の１枚または複数枚のガイドプレートを、胴部およびガイドプレートに対して開閉方向に相対移動自在に設けた
ことを特徴とする拡底バケット。
【請求項２】
アースドリル用拡底バケットのバケット本体に周方向に並べて複数本の縦向きの回転軸を配設し、各回転軸を中心にそれぞれ拡底翼を開閉装置により回動して開閉されるように、かつバケット本体の胴部内から突没自在に取付け、
前記拡底翼の開き方向に見て後部側に土砂導入用の第１ガイドプレートを固定し、
該第１ガイドプレートと前記胴部の内面との間に、土砂導入用の第２ガイドプレートを、胴部および第１ガイドプレートに対して開閉方向に相対移動自在に設け、
前記第１ガイドプレートと第２ガイドプレートとの間の開方向、閉方向の相対移動限界位置をそれぞれ制限するストッパを設け、
前記第２ガイドプレートの開き方向に見て後部側と前記胴部との間に、前記第２ガイドプレートの開き方向の限界位置を規制すると共に、前記胴部の前記開き方向に見て前側の縁と第２ガイドプレートとの間に隙間が発生することを防止するストッパを設け、
前記第２ガイドプレートと前記胴部との間に、前記第２ガイドプレートの閉方向の限界位置を規制するストッパを設けた
ことを特徴とする拡底バケット。
【請求項３】
請求項１または２において、
前記内外に隣接するガイドプレート間、または前記胴部とガイドプレートとの間に、上下、内外方向の相対移動を規制するガイド部を設けた
ことを特徴とする拡底バケット。
【請求項４】
請求項３において、
前記ガイド部が、一方のガイドプレートの上下に設けられた溝状のガイドからなり、該溝状のガイド部が他方のガイドプレートの上下のガイド部を摺動自在に嵌合し、
前記溝状のガイド部の端部を欠除することにより、土砂排出部を構成した
ことを特徴とする拡底バケット。
【請求項５】
請求項３または４において、
前記内外に隣接するガイドプレートどうしまたは前記胴部のガイドプレートとの対向面に、突状のガイド部を開閉方向に設け、該ガイド部が対向するガイドプレートまたは胴部に、該突状のガイド部に摺動自在に嵌合されるガイド部を構成した
ことを特徴とする拡底バケット。
【請求項６】
請求項１から５までのいずれかにおいて、
前記ガイドプレートの開き方向に見て後側端部を後方ほどプレートの厚みが小さくなるテーパー形に形成した
ことを特徴とする拡底バケット。
【請求項７】
請求項６において、
前記ガイドプレートの開き方向に見て後側端部に後方に突出した突出部を設け、該突出部の前記開き方向に見て後側端部を後方ほど肉厚が小さくなるテーパー形に形成すると共に、非突出部の前記開き方向に見て後側端部も後方ほど肉厚が小さくなるテーパー形に形成した
ことを特徴とする拡底バケット。
【発明の詳細な説明】
【０００１】
【発明の属する技術分野】
本発明は、アースドリルにより掘削される縦穴の底部を拡大掘削する拡底バケットに関する。
【０００２】
【従来の技術】
基礎打杭施工等のための縦穴を掘削するアースドリルは、ケリーバの下端に軸掘用バケットにより所定の深さに縦穴を掘削した後、その軸堀用バケットを拡底バケットに換えて穴底部をテーパー形に拡大掘削する。拡底バケットは、バケットの側面に、油圧シリンダ（以下拡底シリンダと称す）により開閉される掘削爪付きの拡底翼が設けられ、該拡底シリンダがベースマシンから油圧ホースを介しての圧油の供給を受けて伸縮することにより、拡底翼が開閉される。このような拡底バケットは、特公昭６３−６５７９７号公報、特公平３−４７３９８号、特公平３−７７３５９号等に開示されている。
【０００３】
【発明が解決しようとする課題】
上述した従来の拡底バケットにおいて、拡底率、すなわち縦穴の直径に対する拡底部の最大拡底径の比を大きくするために、拡底翼をバケット本体に収納した時の直径を変えずに最大拡底径を大径化しようとすると、拡底翼の後部に設けられていてバケット内に掘削土砂をバケット内に導くガイドプレートが長くなり、所定の直径内に収納できなくなるという問題点があった。
【０００４】
本発明は、このような従来技術の問題点に鑑み、ガイドプレートの開閉方向の長さを短くしてバケットをコンパクト化でき、最大拡底径を大きくすることができる構成の拡底バケットを提供することを目的とする。
また本発明は、バケットをコンパクト化できると共に、拡底翼収容の際に、バケット内の圧密された土砂の存在にも拘らず拡底翼を円滑に収容できる構成の拡底バケットを提供することを目的とする。
【０００５】
【課題を解決するための手段】
請求項１の拡底バケットは、アースドリル用拡底バケットのバケット本体に周方向に並べて複数本の縦向きの回転軸を配設し、各回転軸を中心にそれぞれ拡底翼を開閉装置により回動して開閉されるように、かつバケット本体の胴部内から突没自在に取付け、前記拡底翼の開き方向に見て後部側に土砂導入用のガイドプレートを固定し、該ガイドプレートと前記胴部の内面との間に、土砂導入用の別の１枚または複数枚のガイドプレートを、胴部およびガイドプレートに対して開閉方向に相対移動自在に設けたことを特徴とする。なお、以降の記載において、前方とは拡底翼やガイドプレートの開き方向に見て前方を意味し、後方とはその反対方向を意味する。
【０００６】
このように、ガイドプレートを分割することにより、個々のガイドプレートを短くすることができ、拡底率を大きくしても個々のガイドプレートの開閉方向の長さが長くなることを防ぐことができる。
【０００７】
請求項２の拡底バケットは、アースドリル用拡底バケットのバケット本体に周方向に並べて複数本の縦向きの回転軸を配設し、各回転軸を中心にそれぞれ拡底翼を開閉装置により回動して開閉されるように、かつバケット本体の胴部内から突没自在に取付け、前記拡底翼の開き方向に見て後部側に土砂導入用の第１ガイドプレートを固定し、該第１ガイドプレートと前記胴部の内面との間に、土砂導入用の第２ガイドプレートを、胴部および第１ガイドプレートに対して開閉方向に相対移動自在に設け、前記第１ガイドプレートと第２ガイドプレートとの間の開方向、閉方向の相対移動限界位置をそれぞれ制限するストッパを設け、前記第２ガイドプレートの開き方向に見て後部側と前記胴部との間に、前記第２ガイドプレートの開き方向の限界位置を規制すると共に、前記胴部の前記開き方向に見て前側の縁と第２ガイドプレートとの間に隙間が発生することを防止するストッパを設け、前記第２ガイドプレートと前記胴部との間に、前記第２ガイドプレートの閉方向の限界位置を規制するストッパを設けたことを特徴とする。
【０００８】
このように、バケット内に土砂を導入するガイドプレートを、拡底翼の後部に固定した第１ガイドプレートと、バケット本体の胴部と第１ガイドプレートとの間に開閉方向に相対移動自在に介在させて第２ガイドプレートとに分割することにより、個々のガイドプレートを短くすることができ、拡底率を大きくしても個々のガイドプレートの開閉方向の長さが長くなることを防ぐことができる。
【０００９】
また、第１ガイドプレートと第２ガイドプレートとの間に設けたストッパは、拡底シリンダ等の開閉装置による第１ガイドプレートの開閉方向の移動に伴い、第２ガイドプレートを連動させる役目を果たす。第２ガイドプレートの後部とバケット本体の胴部との間のストッパは、拡底翼が大きく開いた場合でも第２ガイドプレートの後端縁と胴部の前端縁との間に隙間が発生することを防止する。
【００１０】
また、第２ガイドプレートの閉方向の限界位置を規制するストッパを設ければ、第２ガイドプレートのバケット本体内の侵入位置が規制されるため、バケット本体と第２ガイドプレートとの干渉が防止される。
【００１１】
請求項３の拡底バケットは、請求項１または２において、
前記内外に隣接するガイドプレート間、または前記胴部とガイドプレートとの間に、上下、内外方向の相対移動を規制するガイド部を設けたことを特徴とする。
【００１２】
このように、第２ガイドプレートの上下、内外方向の位置を規制することにより、ガイドプレートががたつきなく開閉される。
【００１３】
請求項４の拡底バケットは、請求項３において、前記ガイド部が、一方のガイドプレートの上下に設けられた溝状のガイドからなり、該溝状のガイド部が他方のガイドプレートの上下のガイド部を摺動自在に嵌合し、前記溝状のガイド部の端部を欠除することにより、土砂排出部を構成したことを特徴とする。
【００１４】
このように、溝状ガイド部の端部を欠除させて土砂排出部を構成することにより、溝状ガイド部における土砂の溜まりが防止され、ガイドプレートを円滑に摺動させることができる。
【００１５】
請求項５の拡底バケットは、請求項３または４において、前記内外に隣接するガイドプレートどうしまたは前記胴部のガイドプレートとの対向面に、突状のガイド部を開閉方向に設け、該ガイド部が対向するガイドプレートまたは胴部に、該突状ガイド部に摺動自在に嵌合されるガイド部を構成したことを特徴とする。
【００１６】
このように、ガイドプレート間またはガイドプレートと胴部との間を凹凸嵌合構造とすることにより、上下方向のがたの発生をなくし、ガイドプレートを円滑に摺動させることができる。
【００１７】
請求項６の拡底バケットは、請求項１から５までのいずれかにおいて、前記ガイドプレートの開き方向に見て後側端部を後方ほどプレートの厚みが小さくなるテーパー形に形成した
ことを特徴とする。
【００１８】
このように、ガイドプレートの後端をテーパー形に形成することにより、拡底翼収容の際に、バケット内に圧密された土砂が存在し、しかも複数枚のガイドプレートを有してガイドプレートのトータルの厚みが大となっても、ガイドプレートを土砂内に円滑に侵入させることができ、拡底翼の収容が円滑に行われる。
【００１９】
請求項７の拡底バケットは、請求項６において、前記ガイドプレートの開き方向に見て後側端部に後方に突出した突出部を設け、該突出部の前記開き方向に見て後側端部を後方ほど肉厚が小さくなるテーパー形に形成すると共に、非突出部の前記開き方向に見て後側端部も後方ほど肉厚が小さくなるテーパー形に形成したことを特徴とする。
【００２０】
このように、ガイドプレートの後端の一部を突出させることにより挿入が容易になると共に、その突出部の先端のみならず、非突出部の先端もテーパー形に形成することにより、さらにガイドプレートの挿入抵抗が小さくなり、拡底翼の収容が容易となる。
【００２１】
【発明の実施の形態】
図１は本発明による拡底バケットの一実施の形態を示す正面図、図２はそのＨ−Ｈ断面を拡底翼の閉じ状態で示す断面図である。図１、図２において、１は掘削時における芯振れ防止用のスタビライザ（図示せず）を介してケリーバ（図示せず）に接続される中心軸であり、該中心軸１の下部には縦枠２が固定される。これらの縦枠２には側方に突出する横枠３が多段に固定される。各横枠３の両端部には、軸受４が設けられ、各軸受４に固定された縦向きの回転軸５に、拡底翼６の支持アーム７の基端が回動自在に取付けられる。すなわち本例では２本の回転軸５がバケットの周方向に並べて配設される。８は拡底翼６を開閉する開閉装置として設けられた油圧シリンダからなる拡底シリンダである。図１のＩ−Ｉ断面図である図３に示すように、該拡底シリンダ８は、支持アーム７と、該支持アーム７の取付け側と反対側の横枠３の端部との間に取付けられる。
【００２２】
図１、図２に示すように、前記横枠３の両端の軸受４に固定される回転軸５の下端部には、土砂を収容する胴部９が固定されている。前記中心軸１、縦枠２、横枠３および胴部９によりバケット本体１０が構成される。１１はバケットの底蓋である。なお、本実施の形態においては、図１に示すように、拡底翼６は上段の拡底翼６０と多少の範囲にわたって相対的回動が可能な連係部６１を介して連動する複数段の拡底翼からなり、最下段の拡底翼６を回動させることで、上段の拡底翼６０も連動させるものを示しており、このような構造を採用することにより、上段の拡底翼６０の閉じる際の回動範囲を少なくして、もって、狭いスペースしかないバケット上部において、上段の拡底翼６０とバケット本体１０との干渉が起こらないようにし、これにより狭いスペースで拡底翼６、６０の収容が可能になるものを示している。すなわち、縦穴の直径を維持しつつ最大拡底径を大きくしようとすると、拡底翼を大きくする必要があり、拡底翼を大きくすると拡底翼をバケット内への収納する際に拡底翼の引込み量が大きくなり、それによってテーパ状に形成される拡底翼の上端部では、拡底翼とバケット本体１０（中心軸１）との干渉が起きる虞がある。本実施の形態においては、拡底翼６を、上段の拡底翼６０と、多少の範囲にわたって相対的回動が可能な連係部６１を介して連動する複数段（図示例は２段）の拡底翼とによって構成することにより、上記の問題を解決している。本発明は、このような複数段構成の拡底翼のみならず、１段構成の拡底翼にも適用しうることはいうまでもない。
【００２３】
図２において、２０は回転軸５に回動自在に取付けられた主スクレーパ、２０ａはその先端に回動自在に取付けられた補助スクレーパ、２１は拡底翼６と主スクレーパ２０とを連結するリンクである。図２において、拡底翼６が矢印Ｒに示すように開くとき、リンク２１により、該主スクレーパ２０も矢印ｒ方向に開き、補助スクレーパ２０ａは土砂の圧力や地面の抵抗により矢印ｓ方向に回動して土砂をバケット内に導入する。反対に、拡底翼６が反Ｒ方向に閉じるときは、主スクレーパ２０、補助スクレーパ２０ａはそれぞれ反ｒ方向、反ｓ方向に回動し、主スクレーパ２０および補助スクレーパ２０ａ内に残留する土砂をバケット内に収容するものである。
【００２４】
図２および図４（Ａ）の側面図に示すように、拡底翼６の先端のカッタ６ａの反対側、すなわち開き方向に見て後部（以下拡底翼６が開くときの進行方向を前とし、その反対側を後として表現する。）には、平面形状が弧状をなす第１ガイドプレート２４が溶接などにより固定される。該第１ガイドプレート２４と前記胴部９との間には、平面形状が弧状をなす第２ガイドプレート２５が設けられる。
【００２５】
図４（Ａ）の側面図とそのＹ−Ｙ拡大断面図である図４（Ｂ）に示すように、第１ガイドプレート２４の外面の上下には、溝状のガイド部２４ｈ、２４ｉを有し、これらのガイド部２４ｈ、２４ｉに第２ガイドプレート２５の上下の縁となるガイド部２５ｈ、２５ｉが移動自在に嵌合される。溝状のガイド部２４ｈ、２４ｉの端部には欠除部２４ｍ、２４ｎを設けることにより、溝状のガイド部２４ｈ、２４ｉに溜まる土砂がこの欠除部２４ｍ、２４ｎから排出でき、円滑な摺動が行えるようにしている。
【００２６】
また、第１ガイドプレート２４の外面に設けた突状のガイド部２４ｊを前記ガイド部２５ｉと中間部の突状のガイド部２５ｊとの間で摺動自在に挟むことにより、第１ガイドプレート２４と第２ガイドプレート２５との間が円滑に移動するように構成されている。
【００２７】
図４（Ａ）のＤ−Ｄ断面について図５（Ａ）、（Ｂ）に示すように、第１ガイドプレート２４と第２ガイドプレート２５との間には、拡底翼６が閉じる際に第２ガイドプレート２５の前端を当接させるストッパ２４ａと、拡底翼６が開く際に互いに当接するストッパ２４ｂ、２５ａとが、それぞれ第１ガイドプレート２４、第２ガイドプレート２５に固定して設けられる。
【００２８】
また、図５（Ａ）、（Ｂ）に示すように、第２ガイドプレート２５の開き方向の限界位置を規制して第２ガイドプレート２５の後端縁と胴部９の前端縁との間に隙間が発生することを防止するため、第２ガイドプレート２５の後部には、胴部９の前部（拡底翼６の出入口の端部）のストッパ９ａに当接するストッパ２５ｂが設けられる。また、図４（Ａ）のＥ−Ｅ断面について図５（Ｃ）、（Ｄ）および図４（Ａ）のＦ−Ｆ断面について図６（Ａ）、（Ｂ）に示すように、第２ガイドプレート２５の閉じ方向の限界位置を規制するため、第２ガイドプレート２５の前部には、胴部９の後部のストッパ９ｂに当接するストッパ２５ｃが設けられる。
【００２９】
この構成において、このバケットを回転させながら、拡底シリンダ８を徐々に伸長させることにより、拡底翼６を徐々に開いて拡底掘削を行う場合、拡底翼６がバケット本体内に収納された閉じ状態から拡底シリンダ８を伸長すると、支持アーム７および拡底翼６が回転軸５の回りに回動し、開き方向に作動する。この拡底翼６の開き方向の動きに伴って、拡底翼６の後部に設けられた第１ガイドプレート２４と第２ガイドプレート２５とが胴部９内から図５（Ａ）の矢印ａに示すように開き方向に動く。
【００３０】
そしてそのまま拡底シリンダ８が伸長して拡底翼６が図５（Ｂ）の矢印ｂで示すように開き続けると、第２ガイドプレート２５の後部のストッパ２５ｂが、胴部９の前部に設けたストッパ９ａに当接し、第２ガイドプレート２５がそれ以上に開きが停止する。これにより、第２ガイドプレート２５の後縁と胴部９の前縁との間に隙間が発生することを防止してバケット内に導入した土砂がバケット外に漏れることを防止する。この状態からさらに拡底翼６を開くと、第１ガイドプレート２４は、そのガイド部２４ｈ、２４ｉやガイド部２４ｊが、第２ガイドプレート２５の上下および中間のガイド部２５ｈ、２５ｉ、２５ｊに摺動しながら開く。このように第１、第２ガイドプレート２４、２５が相対的に移動することにより、両者をがたつかせることなく移動させることができる。
【００３１】
図５（Ａ）、（Ｂ）の場合は、第１ガイドプレート２４と第２ガイドプレート２５とが重なった状態で同時に開いた場合であるが、作業現場における第１ガイドプレート２４と第２ガイドプレート２５との間の摺動抵抗によっては、図５（Ｃ）、（Ｄ）に示すように、開き動作の初期においては、第１ガイドプレート２４のみが矢印ｃに示すように開く場合がある。この場合には、第１ガイドプレート２４は、そのガイド部２４ｈ、２４ｉ、２４ｊにおいて第２ガイドプレート２５の上下縁のガイド部２５ｈ、２５ｉおよび中間のガイド部２５ｊに摺動しながら第１ガイドプレート２４が単独で開く。このような開き動作により、図５（Ｄ）に示すように、第１ガイドプレート２４の後部に設けたストッパ２４ｂが、第１ガイドプレート２５の前部のストッパ２５ａに当接すると、第２ガイドプレート２５も第１ガイドプレート２４に引っ張られて矢印ｄのように開く。
【００３２】
一方、拡底翼６の閉じ動作についても、バケット内の土砂抵抗により、第１ガイドプレート２４、２５が閉じ動作の初期に連動する図６（Ａ）、（Ｂ）の場合と、まず第１ガイドプレート２４が単独で閉じ、その後、第２ガイドプレート２５も連動して閉じる場合とがある。
【００３３】
図６（Ａ）、（Ｂ）の場合は、バケット内の土砂の抵抗が小さい場合であり、拡底翼６の収納時、すなわち閉じ動作時に、図６（Ａ）の矢印ｅに示すように、第１ガイドプレート２４と第２ガイドプレート２５は広がった状態で同時に閉じる。このような閉じ動作により、図６（Ｂ）に示すように、第２ガイドプレート２５の外面のストッパ２５ｃが胴部９のストッパ９ｃに当接すると、第２ガイドプレート２５のそれ以上の移動が停止し、その後、第１ガイドプレート２４のみが閉じ方向に移動する。
【００３４】
図６（Ｃ）、（Ｄ）の場合は、バケット内の土砂の抵抗が大きい場合であり、この場合は、土砂の抵抗により第２ガイドプレート２５の閉じ方向の移動が土砂で阻まれるので、図６（Ｃ）の矢印ｇに示すように、第１ガイドプレート２４のストッパ２４ａが第２ガイドプレート２５の前端の縁に当接するまで第１ガイドプレート２４のみが閉じ方向に移動する。第１ガイドプレート２４のストッパ２４ａが第２ガイドプレート２５の前端縁に当接した後は、図６（Ｄ）の矢印ｉに示すように、第１ガイドプレート２４で第２ガイドプレート２５を押しながら、両ガイドプレート２４、２５が重なった状態で閉じ方向に移動する。
【００３５】
このように、バケット内に土砂を導入するガイドプレートを２分割することにより、ガイドプレートの開閉方向の長さを小さくすることができる。したがって、最大拡底径を大きくしても、ガイドプレートをバケット本体内に収納することができ、最大拡底径を大きくすることができる。
【００３６】
上記実施の形態においては、第１ガイドプレート２４と第２ガイドプレート２５との間にガイド部２４ｈ〜２４ｊを設けたが、胴部９と第２ガイドプレート２５との間にガイド部を設けてもよい。また、第１ガイドプレート２４と胴部９との間に複数枚のガイドプレートを設ける構成としてもよい。
【００３７】
図７ないし図９は本発明の他の実施の形態を説明する図であって、拡底翼６を収容する際のガイドプレートの挿入抵抗を小さくするための手段を有するものである。図７（Ａ）は前記第１ガイドプレート２４を外部から見た図、図７（Ｂ）はその後端部を拡大して示す平面図であり、第１ガイドプレート２４は、その上下端の後端に後方に突出する突出部２４ｐを有し、その後端を後方ほどプレートの厚みを小さくしたテーパー形２４ｒに形成している。また、図７（Ｃ）は前記第２ガイドプレート２５を外部から見た図、図７（Ｄ）はその後端部を拡大して示す平面図であり、第２ガイドプレート２５は、その上下端の後端に後方に突出する突出部２５ｐを有し、その突出部２５ｐの後端を、内面の補強部２５ｓの後端面のテーパー部に連続するような後方ほどプレートの厚みを小さくしたテーパー形２５ｒに形成し、外側に設けたストッパ２５ｂの後端も前記と同様の形状のテーパー形２５ｔに形成している。
【００３８】
図８（Ａ）、（Ｂ）は図７に示したガイドプレート２４、２５の状態を、図５（Ａ）、（Ｂ）に対応して示し、図９は拡底翼６を閉じる際の状態で示す図である。図９に矢印ｉで示すように、拡底翼６を収容する時、前記ガイドプレート２４、２５の後端をテーパー形２４ｒあるいは２５ｒ、２５ｔに形成することにより、ガイドプレート２４、２５の挿入抵抗が低減され、バケット内に圧密された土砂が存在し、さらに２枚のガイドプレート２４、２５によりガイドプレート全体の厚みが増えても、拡底翼６を容易に挿入することが可能となる。
【００３９】
また、第１ガイドプレート２４の上下に突出部２４ｐを設け、その間を非突出部２４ｑ（凹部）とし、第２ガイドプレート２５も中間部に突出部２５ｐを設け、他の部分を非突出部２５ｑ（凹部）としており、その理由は、図２に示したリンク２１とガイドプレート２４、３５の後端部との干渉を避け、しかもガイドプレート２４、２５の長さを確保するためである。しかし、このように、ガイドプレート２４、２５の一部を突出させ、その突出部２４ｐ、２５ｐすなわち先行部分の先端をテーパー形に形成することによって、ガイドプレート２４、２５の挿入抵抗をより低減することができる。
【００４０】
図１０は図７の変形例を示すものであり、図１０（Ａ）、（Ｃ）は図７（Ａ）、（Ｃ）に対応して描いており、図１０（Ｂ）、（Ｄ）はそれぞれ図１０（Ａ）、（Ｃ）のＪ−Ｊ拡大断面図、Ｋ−Ｋ拡大断面図である。図１０の例においては、ガイドプレート２４、２５の非突出部２４ｑ、２５ｑもテーパー形２４ｓ、２５ｕに形成し、これにより、ガイドプレート２４、２５の挿入抵抗をさらに小さくしたものである。このように、非突出部２４ｑ、２５ｑの部分もテーパー形に形成することにより、拡底翼６の挿入がさらに容易となる。
【００４１】
なお、ガイドプレート２４、２５の後端をテーパー形を形成する構造は、これらのガイドプレート２４、２５の後端に突出部２４ｐ、２５ｐを有しない構造のものにも適用できる。
【００４２】
【発明の効果】
請求項１によれば、拡底翼の後部側に土砂導入用のガイドプレートを固定し、該ガイドプレートと前記胴部の内面との間に、土砂導入用の別の１枚または複数枚のガイドプレートを、胴部および第１ガイドプレートに対して開閉方向に相対移動自在に設けたので、個々のガイドプレートを短くすることができ、拡底率を大きくしても個々のガイドプレートの開閉方向の長さが長くなることを防ぐことができる。したがって、土砂導入部についても拡底率増大の制約がなくなり、バケット径を大きくすることなく拡底率を上げ、最大拡底径を大きくすることができる。また、拡底部の傾斜面のテーパー角を大きく設定することができる。
【００４３】
請求項２によれば、ガイドプレートを、拡大翼に固定した第１ガイドプレートと、バケット胴部と第１ガイドプレートとの間に設けた２ガイドプレートと、これらのガイドプレートおよび胴部との間の相対移動位置を規制するストッパにより構成したので、第２ガイドプレートのバケット本体内の侵入位置が規制されるため、バケット本体と第２ガイドプレートとの干渉が防止される。また、ガイドプレートの開閉方向の長さを短くしてコンパクト化することができ、最大拡底径を大きくし、拡底率を上げることができ、拡底部の傾斜面のテーパー角を大きく設定することができる。
【００４４】
請求項３によれば、請求項１または２において、ガイドプレート間またはガイドプレートと胴部間とで、互いに上下、内外方向の相対移動を規制するガイド部を設けたので、第２ガイドプレートの上下、内外方向の位置を規制することにより、ガイドプレートががたつきなく開閉される。
【００４５】
請求項４によれば、請求項３において、前記ガイド部が、一方のガイドプレートの上下に設けられた溝状部からなり、該溝状部が他方のガイドプレートの上下のガイド部を摺動自在に嵌合し、前記溝状部の端部を欠除することにより、土砂排出部を構成したので、溝状部における土砂の溜まりが防止され、ガイドプレートを円滑に摺動させることができる。
【００４６】
請求項５によれば、請求項３または４において、前記内外に隣接するガイドプレートどうしまたは前記胴部のガイドプレートとの対向面に、突状のガイド部を開閉方向に設け、該ガイド部が対向するガイドプレートまたは胴部に、該突状部に摺動自在に嵌合されるガイド部を構成したので、上下方向のがたの発生をなくし、ガイドプレートを円滑に摺動させることができる。
【００４７】
請求項６によれば、請求項１から５までのいずれかにおいて、前記ガイドプレートの後端をテーパー形に形成したので、拡底翼収容の際のガイドプレートの挿入抵抗を小さくすることができ、拡底翼の収容が円滑に行われる。
【００４８】
請求項７によれば、請求項６において、前記ガイドプレートの後端に後方に突出して形成された突出部を有しており、該突出部の後端をテーパー形に形成すると共に、非突出部の後端もテーパー形に形成したので、さらにガイドプレートの挿入抵抗が小さくなり、拡底翼の収容がさらに容易となる。
【図面の簡単な説明】
【図１】本発明による拡底バケットの一実施の形態を示す正面図である。
【図２】図１のＨ−Ｈ断面を拡底翼の閉じ状態で示す断面図である。
【図３】図１のＩ−Ｉ断面図である。
【図４】（Ａ）は図１の拡底バケットの要部を示す側面図、（Ｂ）は（Ａ）のＹ−Ｙ拡大断面図である。
【図５】（Ａ）、（Ｂ）はそれぞれ本実施の形態の開き動作の一例を、図４のＤ−Ｄ断面で示す断面図である。（Ｃ）、（Ｄ）はそれぞれ本実施の形態の開き動作の他の例を、図４のＥ−Ｅ断面で示す断面図である。
【図６】（Ａ）、（Ｂ）はそれぞれ本実施の形態の閉じ動作の一例を、図４のＦ−Ｆ断面で示す断面図である。（Ｃ）、（Ｄ）はそれぞれ本実施の形態の閉じ動作の他の例を、図４のＦ−Ｆ断面で示す断面図である。
【図７】（Ａ）、（Ｃ）は本発明の他の実施の形態の第１ガイドプレート、第２ガイドプレートを外部から見た図、（Ｂ）、（Ｄ）はそれぞれ（Ａ）、（Ｃ）のガイドプレートの後端部を拡大して示す平面図である。
【図８】図７のガイドプレートの拡底翼の開き動作時の状態をそれぞれ図５（Ａ）、（Ｂ）に対応させて示す断面図である。
【図９】図７のガイドプレートの拡底翼の閉じ動作時の状態を示す図４（Ａ）のＤ−Ｄ相当断面図である。
【図１０】（Ａ）、（Ｃ）は図７のガイドプレートの変形例を、それぞれ図７（Ａ）、（Ｃ）に対応させて示す図、（Ｂ）は（Ａ）のＪ−Ｊ断面図、（Ｄ）は（Ｃ）のＫ−Ｋ断面図である。
【符号の説明】
１：中心軸、２：縦枠、３：横枠、４：軸受、５：回転軸、６、６０：拡底翼、７：支持アーム、８：拡底シリンダ、９：胴部、９ａ、９ｂ：ストッパ、１０：バケット本体、１１：底蓋、２０：主スクレーパ、２０ａ：補助スクレーパ、２１：リンク、２４：第１ガイドプレート、２４ａ、２４ｂ：ストッパ、２４ｈ、２４ｉ：溝状のガイド部、２４ｊ：突状のガイド部、２４ｍ、２４ｎ：欠除部、２４ｐ：突出部、２４ｑ：非突出部、２４ｒ、２４ｓ：テーパー形状部、２５：第２ガイドプレート、２５ａ〜２５ｃ：ストッパ、２５ｈ、２５ｉ：ガイド部、２５ｊ：突状のガイド部、２５ｐ：突出部、２５ｑ：非突出部、２５ｒ、２５ｔ、２５ｕ：テーパー形状部
【図１】
0003979747.tif 000002
【図２】
0003979747.tif 000003
【図３】
0003979747.tif 000004
【図４】
0003979747.tif 000005
【図５】
0003979747.tif 000006
【図６】
0003979747.tif 000007
【図７】
0003979747.tif 000008
【図８】
0003979747.tif 000009
【図９】
0003979747.tif 000010
【図１０】
0003979747.tif 000011